(57)【要約】【課題】携帯端末等によりインターネットに接続し、そこから任意で得られた情報を、誘導加熱調理器と通信させ、一般的に販売されている容器でも自動調理等が行え、かつ誘導加熱コイルによるノイズや、誘導加熱により携帯端末自身の故障を防止し、安全且つ確実に通信出来る誘導加熱調理器を提供すること。【解決手段】ＲＦＩＤタグ６は誘導加熱コイルユニット３に取り付けられたフェライトコア３ｂよりも下方に配置する事により、誘導加熱コイル３ａから発せられるノイズの影響を受けにくく、且つ誘導加熱により携帯端末を誘導加熱により故障させる危険性がなく、確実に携帯端末と誘導加熱調理器を通信させる事が出来る。【選択図】図２
2014146532.tif 000002
【特許請求の範囲】
【請求項１】
本体と、
前記本体の外郭を構成する金属製の本体外郭と、
前記本体外郭の上方に配置される天板と、
前記本体内に配置され、誘導加熱コイル及び前記誘導加熱コイルの下方に設けられるフェライトコアを有する誘導加熱コイルユニットと、
を備え、
前記本体内に設けられ、携帯端末と近接通信を行うＲＦＩＤタグをさらに有し、
前記ＲＦＩＤタグは、前記フェライトコアよりも下方に配置される、
誘導加熱調理器。
【請求項２】
前記本体の前面を覆う前面パネルを有し、
前記ＲＦＩＤタグは、前記前面パネルの前記本体内側に配置される、請求項１に記載の誘導加熱調理器。
【請求項３】
前記ＲＦＩＤタグは、前記本体高さの中央付近に配置される、請求項２に記載の誘導加熱調理器。
【請求項４】
前記本体前面に前面開口部を有する調理庫と、前記前面開口部を開閉するグリル扉とを有するグリル装置をさらに備え、
前記ＲＦＩＤタグは、前記グリル扉から所定の距離離した位置に配置される、請求項２または３に記載の誘導加熱調理器。
【請求項５】
前記ＲＦＩＤタグは、合成樹脂性のホルダーにより保持される、請求項１〜４のいずれか１項に記載の誘導加熱調理器。
【請求項６】
前記ＲＦＩＤタグは、前記前面パネルと略並行に配置される、請求項２〜５のいずれか１項に記載の誘導加熱調理器。
【請求項７】
前記本体の前面に収納式の操作部を有し、
前記ＲＦＩＤタグは、前記操作部の操作面の下方で前記操作面と略並行に配置される、請求項２〜５のいずれか１項に記載の誘導加熱調理器。
【請求項８】
前記前面パネルもしくは前記操作部の操作面に、前記ＲＦＩＤタグの位置を示すＲＦＩＤタグ表示部を設けた、請求項２〜７のいずれか１項に記載の誘導加熱調理器。
【請求項９】
前記前面パネルに、前記ＲＦＩＤタグの位置を示すＲＦＩＤタグ表示部と、前記グリル扉が高温になることもしくは高温であることを表示するグリル注意表示部、または前記グリル装置が使用中であることを示すグリル加熱表示部と、を備え、
前記グリル注意表示または前記グリル加熱表示部は、前記ＲＦＩＤタグ表示部の近傍に配置される、
請求項４に記載の誘導加熱調理器。
【発明の詳細な説明】
【技術分野】
【０００１】
本発明は、一般家庭で用いられる誘導加熱調理器に関するものである。
【背景技術】
【０００２】
従来、この種の加熱調理器は、自動調理メニューを有して使用者がこれらを選択して操作することで、例えば温度を適温で一定に保って揚げ物調理を行ったり、炊飯調理を行ったりできる機能が搭載されるようになった。このような機能は、使用者が簡単な操作でいつでも失敗なく調理を行うことができるため、大変便利なものとなっている。
【０００３】
しかしながら、このような構成では、調理を行う際に使用者は例えば調理本でレシピを検討し、また料理本を見ながら火加減を調節したり自動調理コースを選択したりする必要がある。このため、さらに簡単に操作や調理ができないか、検討の余地があると言える。ここで、操作を簡単にするため、調理器本体と外部とで通信を行うことが考えられる。
【０００４】
ここで、調理器における通信の一例として、例えば引用文献１では、ハンドル部にＩＣタグを内蔵した容器を用い、前記容器を誘導加熱する加熱コイルと、前記加熱コイルの上部で前記容器を載置する天板に、前記加熱コイルの外形よりも大きくして印刷し、前記容器との通信を行っていた。
【先行技術文献】
【特許文献】
【０００５】
【特許文献１】特開２００７−１３４２５７号公報
【発明の概要】
【発明が解決しようとする課題】
【０００６】
しかしながら、引用文献１の構成では、ハンドル部にＩＣタグを内蔵した容器が必要で、一般的に販売されている容器では、通信出来ないと言う問題があった。また、単に容器との通信では、様々な料理レシピ等の情報を得ることはできない。
【０００７】
その為、携帯端末等によりインターネットに接続し、そこから任意で得られた情報を、誘導加熱調理器と通信させ、一般的に販売されている容器でも自動調理等が行うことが考えられる。また、その通信にはＲＦＩＤ（Ｒａｄｉｏ  Ｆｒｅｑｕｅｎｃｙ  ＩＤｅｎｔｉｆｉｃａｔｉｏｎ）タグを設け、携帯端末を近づけることによって、誘導加熱調理器がデータを読み取るようにすることが考えられる。
【０００８】
しかしながら、携帯端末を加熱コイル上部の天板に近づけるのは、使用者にとって位置が見やすく好ましい方法と考えられる一方、調理中または調理直後等非常に高温になっており、場合によっては使用者自身の安全性に影響を与える可能性がある。
【０００９】
また、加熱調理を行っている際に、ＲＦＩＤによって携帯端末により通信しようとすると、加熱コイルによるノイズにて通信出来ない事や、誘導加熱により携帯端末自身の故障の危険性が考えられる。
【００１０】
本発明は、このような問題点を解決したもので、携帯端末を介した通信を利用して、外部からの情報を取り込むことで使用者の利便性を向上し、かつ安全で確実に通信出来る誘導加熱調理器を提供することを目的とする。
【課題を解決するための手段】
【００１１】
上記目的を達成するために本発明は、誘導加熱コイルユニットを有する本体と、近接通信を行うＲＦＩＤタグを備え、前記誘導加熱コイルユニットのフェライトコアよりも下方側に、前記ＲＦＩＤタグを配置した構成としてある。
【００１２】
これにより前記誘導加熱コイルユニットから発するノイズは、前記フェライトコアにより下方側には届きにくくなり、前記ＲＦＩＤタグに携帯端末を近づけた場合に、ノイズによる通信障害になりにくく、携帯端末を誘導加熱により故障させる危険性がない。
【発明の効果】
【００１３】
以上述べたように、本発明によれば、ＲＦＩＤタグを用いて通信させる為、セキュリティの問題がなく、通信時の誤動作や、携帯端末の故障もなく安全に且つ確実にデータの送受信を行うことが出来る。
【図面の簡単な説明】
【００１４】
【図１】本発明の実施の形態１における誘導加熱調理器の斜視図
【図２】図１をＡ方向から見た断面図
【図３】本発明の実施の形態１における誘導加熱調理器の正面図
【図４】本発明の実施の形態１におけるＲＦＩＤタグ６の他の取り付け例を示す図
【発明を実施するための形態】
【００１５】
第１の発明は、本体と、前記本体の外郭を構成する金属製の本体外郭と、前記本体外郭の上方に配置される天板と、前記本体内に配置され、誘導加熱コイル及び前記誘導加熱コイルの下方に設けられるフェライトコアを有する誘導加熱コイルユニットと、を備え、前記本体内に設けられ、携帯端末と近接通信を行うＲＦＩＤタグをさらに有し、前記ＲＦＩＤタグは、前記フェライトコアよりも下方に配置される、としたものである。
【００１６】
これにより前記誘導加熱コイルユニットから発するノイズは、前記フェライトコアにより下方側には届きにくくなり、前記ＲＦＩＤタグに携帯端末を近づけた場合に、ノイズによる通信障害になりにくく、携帯端末を誘導加熱により故障させることを防止できる。
【００１７】
第２の発明は、特に第１の発明において、本体の前面を覆う前面パネルを有し、前記ＲＦＩＤタグは、前記前面パネルの前記本体内側に配置される、としたものである。これによって、携帯端末と本体とで通信しやすくなる。
【００１８】
第３の発明は、ＲＦＩＤタグを、誘導加熱調理器の前面且つ本体高さの中央付近に配置させたものである。これにより、前記誘導加熱調理器を、キッチンに設置した場合でも、前記ＲＦＩＤタグが本体高さの中央付近にあるため、キッチンの設置状況により前記誘導加熱調理器本体が、キッチンより張り出していない場合でも、携帯端末を、前記ＲＦＩＤタグと略平行且つ至近距離まで容易に近づける事が出来る。また、前記ＲＦＩＤタグの近くに金属があると、性能が落ちてしまう問題があるが、前記誘導加熱調理器の中央付近に配置した為、本体外郭ケースが金属の板金部品であった場合でも、その影響がほとんどなく、性能が確保出来る。
【００１９】
第４の発明は、特に、本体前面に前面開口部を有する調理庫と、前記前面開口部を開閉するグリル扉とを有するグリル装置をさらに備え、前記ＲＦＩＤタグは、前記グリル扉から所定の距離離した位置に配置される、としたものである。これにより、前記グリル装置を使用中に、グリル扉が高温になっている場合でも、携帯端末を、前記ＲＦＩＤタグと略平行且つ至近距離まで容易に近づける事が出来、安全且つ確実に通信させる事が出来る。
【００２０】
第５の発明は、前記ＲＦＩＤタグは合成樹脂性のホルダーにより保持されている構成とする。これにより、前記ＲＦＩＤタグの通信性能を確保出来る。
【００２１】
第６の発明は、ＲＦＩＤタグは、前面パネルと略並行に配置されるとしたもので、これにより携帯端末を、ＲＦＩＤタグと略平行且つ至近距離まで容易に近づける事が出来、確実に通信させる事が出来る。
【００２２】
第７の発明は、本体の前面に収納式の操作部を有し、ＲＦＩＤタグは、操作部の操作面の下方で操作面と略並行に配置されるとしたものである。これによって、携帯端末を、ＲＦＩＤタグと略平行且つ至近距離まで容易に近づける事が出来、確実に通信させる事が出来る。また、収納式の操作部は、本体よりも外側に突出した状態であるため、より誘導加熱コイルよりも遠ざかることとなって、通信時におけるノイズの影響を抑制することができる。
【００２３】
第８の発明は、特に第２〜４のいずれかの発明において、前面パネルに、ＲＦＩＤタグの位置を示すＲＦＩＤタグ表示部を設けたものである。これによって、携帯端末を近づける位置を使用者に示すことができる。
【００２４】
第９の発明は、特に第４の発明において、前面パネルに、ＲＦＩＤタグの位置を示すＲＦＩＤタグ表示部と、グリル扉が高温になることもしくは高温であることを表示するグリル注意表示部、または前記グリル装置が使用中であることを示すグリル加熱表示部と、を備え、グリル注意表示またはグリル加熱表示部は、ＲＦＩＤタグ表示部の近傍に配置される、としたものである。これによって、使用者が携帯端末をＲＦＩＤタグ表示部にかざすもしくは接触させるときに、誤って高温のグリル扉に触れたりすることを防いだり注意を喚起することができる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における、誘導加熱調理器本体の斜視図である。
【００２７】
図２は図１をＡ方向から見た断面図である。
【００２８】
図１及び図２に示すように、本実施の形態の誘導加熱調理器は、金属製の本体ケース１と、本体ケース１の上面に設けられる透光性の天板２とを有する。天板２には、誘導加熱コイルユニット３の位置に対応するする加熱領域表示部７と、誘導加熱コイルユニット３に対する操作表示部８が設けられている。
【００２９】
また、本体ケース１の左側にはグリル装置９が構成されている。グリル装置９は、本体前面に開口部９ａを有し、この開口部９ａを開閉するグリル扉９ｂを有する。
【００３０】
さらに、本体前面の右側には、収納式の操作部１０が収納されており、この操作部１０の前面を覆う、樹脂性の操作部前面パネル１１ａが構成されている。また、本体前面には、この操作部前面パネル１１ａの他にも、本体前面とキッチンの前面開口との間を覆うサイドパネル（図示せず）等も構成されており、これらは本体の前面パネル１１を構成している。なお、後述するように、操作部前面パネル１１ａの内側には、ＲＦＩＤタグ６が設けられており、操作部前面パネル１１ａには、ＲＦＩＤタグ６の位置が外から使用者に分かるよう、ＲＦＩＤタグ表示部６ａが設けられている。
【００３１】
なお、本実施の形態の誘導加熱調理器本体は、上面開口及び前面開口を有するキッチンキャビネット１２に対して、落とし込むようにして設置され組み込まれるようになっている。
【００３２】
また、図２に示すように、本体ケース１の内部には、天板２上に載置した鍋等の被加熱物を誘導加熱するための誘導加熱コイルユニット３及び、誘導加熱コイルユニット３に高周波電流を供給するインバータ４、制御部等が配置されている。また、本体ケース１の内部には、誘導加熱コイルユニット３やインバータ４を冷却する冷却ファン５も配置されている。また、誘導加熱コイルユニット３は、誘導加熱コイル３ａやフェライトコア３ｂ、コイルベース３ｃ等で構成される。
【００３３】
図２において、ＲＦＩＤタグ６は、操作部前面パネル１１ａの近傍で、操作部前面パネル１１ａの本体内側に設けられている。このＲＦＩＤタグ６は、例えば約５ｃｍ×５ｃｍの基板上に、金属導線によるアンテナ部と、ＩＣを有して構成されている。なお、ＲＦＩＤタグ６は、図２に示すように、本体前面から使用者によって近付けられる携帯端末１５（図示せず）と通信し易いように、操作部前面パネル１１ａと略平行に配置されている。また、ＲＦＩＤタグ６は誘導加熱コイルユニット３のフェライトコア３ｂより下面側に配置されるとともに、本体高さの中央付近に配置されている。
【００３４】
図３は、本実施の形態の誘導加熱調理器の正面図を示している。図３に示すように、操作部前面パネル１１ａには、本体の高さ方向の中央付近であってＲＦＩＤタグ６と対応する位置に、これを示すＲＦＩＤタグ表示部６ａが設けられている。また、ＲＦＩＤタグ表示部６ａは、その表示面積が実際のＲＦＩＤタグ６よりも小さく、かつＲＦＩＤタグ６に対応する範囲内に配置されている。
【００３５】
さらに、グリル装置９のグリル扉９ｂには、グリル扉９ｂが高温となることを示すグリル注意表示部１３が設けられている。また、操作部前面パネル１１ａには、グリル装置９が使用中であるもしくは扉が高温であることを注意喚起する、グリル加熱表示部１４が設けられている。
【００３６】
また、図４は、ＲＦＩＤタグ６が、別に位置に配置されている例を示している。
【００３７】
以上のように構成された誘導加熱調理器について、以下その動作、作用について説明する。
【００３８】
使用者は携帯端末をインターネットに接続し、料理メニューや調理方法、機器の設定条件などのレシピ情報を入手する。そして、火力２で１５分、その後火力１で２０分といった機器の設定条件等のデータを誘導加熱調理器に送信する。その際、携帯端末を送信状態にし、誘導加熱調理器のＲＦＩＤタグ６に近づける事で、データを送信する。具体的には、携帯端末を操作部前面パネル１１ａのＲＦＩＤタグ表示部６ａに接触もしくは近傍にかざすことで通信を行う。
【００３９】
データを送信した後は、機器の運転条件がすでに入力されている状態となっているので、使用者は加熱開始キーを操作するだけで、選択した料理に合った運転条件での自動調理を開始することができる。
【００４０】
この時、他の誘導加熱部により既に別の容器等を加熱していた場合など、誘導加熱コイル３ａから発せられるノイズにより、通信が妨げられる場合がある。本実施の形態では、ノイズの影響を受けにくくする為、ＲＦＩＤタグ６は誘導加熱コイルユニット３に取り付けられたフェライトコア３ｂよりも下面側に配置している。
【００４１】
ここで、誘導加熱コイルユニット３のフェライトコア３ｂは、誘導加熱コイル３ａの上面側に磁束を集中させて効率化を図るとともに、被加熱物の加熱分布を改善するために設けられている。従って、ＲＦＩＤタグ６を、誘導加熱コイルユニット３に取り付けられたフェライトコア３ｂよりも下面側に配置することで、フェライトコア３ｂの下側では磁束の影響を受けにくくすることができる。すなわち、誘導加熱コイル３ａから発せられるノイズの影響を防ぐことができる。
【００４２】
また、ＲＦＩＤタグ６は金属部品の影響も受けやすく、近くに金属部品があると、通信に障害が起こりやすい。その為本体高さの中央付近に配置し、本体ケース１から離れた位置に配置されている。これによって、本体ケース１による影響を抑制することができる。さらに、キッチンに備え付けられた誘導加熱調理器の中央付近にＲＦＩＤタグ６が配置されている為、備え付け状態に左右されず、携帯端末を近づけやすい。
【００４３】
また、左右方向についても、本体ケース１の側面から所定距離だけ離れた位置に配置することで、本体ケース１の側面からの影響を低減することができる。さらに、誘導加熱調理器の左右いずれの側にキッチンの壁があったとしても、使用者が携帯端末１５をかざす際に邪魔にならず操作することができる。本実施の形態では、グリル扉９ｂの近傍でグリル扉９ｂから所定の距離だけ離れた位置にＲＦＩＤタグ表示部６ａを配置している。所定の距離は、使用者が携帯端末１５を近づけようとする際に、誤ってグリル扉９ｂに触れない程度の距離があれば良く、一般的な携帯端末の幅を考慮して、例えば３ｃｍ程度離れていれば良い。
【００４４】
また、ＲＦＩＤタグ６は金属製のネジ等での固定をせず、樹脂部品のみで本体ケースに固定されている。すなわち、ＲＦＩＤタグ６は合成樹脂製のホルダー６ｂにセットされている。さらにこのホルダー６ｂは、ホルダー６ｂに設けられた爪によって樹脂性の操作部１０のケースに取り付けられている。この為、通信の妨げとなるノイズや金属部品の影響等を可能な限り抑え、通信状態を最適にした為、ＲＦＩＤタグ６を必要最低限の大きさに抑える事が出来、省スペース且つ安価に構成する事が出来る。
【００４５】
また、ＲＦＩＤタグ表示部６ａの近傍には、グリル注意表示部１３またはグリル加熱表示部１４が設けられている。このため、使用者が携帯端末１５をＲＦＩＤタグ表示部６ａにかざすもしくは接触させるときに、誤って高温のグリル扉９ｂに触れたりすることを防いだり注意を喚起することができる。
【００４６】
また、ＲＦＩＤタグ表示部６ａの表示面積は、実際のＲＦＩＤタグ６よりも小さくかつＲＦＩＤタグ６に対応する範囲内に配置している。これによって、使用者が携帯端末１５を近づける際に、多少位置がずれていても、ＲＦＩＤタグ６の通信感度内に含まれこととなり、確実に通信を行うことができる。  なお、図４に示すように、ＲＦＩＤタグ６の位置については、収納式の操作部１０を出した状態で、携帯端末１５と通信できるようにしても良い。この場合、ＲＦＩＤタグ６は、操作部１０の操作面の下方で、操作面と略並行に配置すれば良い。これによって、確実に通信を行うことができる。さらに、操作部１０の操作面は、調理中の使用者からも見やすい位置にあるため、ＲＦＩＤタグ表示部６ａに対してスムーズに携帯端末を近づけることができる。さらに、収納式の操作部１０は、本体ケース１よりも外側に突出した状態であるため、より誘導加熱コイル３ａよりも遠ざかることとなって、結果として通信時におけるノイズの影響を受けにくくなる。
【００４７】
なお、通信方式については製品にタッチ動作やかざす動作などで対象を限定して判別可能であれば他の近距離無線通信であっても良い。
【００４８】
なお、本実施の形態では、組み込み式の誘導加熱調理器で説明したが、据置型や他の誘導加熱調理器であっても同様に本願発明を適用できることは言うまでもない。
【産業上の利用可能性】
【００４９】
以上述べたように、本発明によれば、簡単な構成で、信頼性が高く、確実に携帯端末と通信させる事ができ、使用者の携帯端末を故障させることのない誘導加熱調理器を提供する事が出来る。
【符号の説明】
【００５０】
１  本体ケース（本体外郭）
２  天板
３  誘導加熱コイルユニット
３ａ  誘導加熱コイル
３ｂ  フェライトコア
３ｃ  コイルベース
４  インバータ
５  冷却ファン
６  ＲＦＩＤタグ
６ａ  ＲＦＩＤタグ表示部
６ｂ  ホルダー
７  加熱領域表示部
８  操作表示部
９  グリル装置
９ａ  開口部
９ｂ  グリル扉
１０  操作部
１１  前面パネル
１１ａ  操作部前面パネル
１２  キッチンキャビネット
１３  グリル注意表示部
１４  グリル加熱表示部
１５  携帯端末
【図１】
2014146532.tif 000003
【図２】
2014146532.tif 000004
【図３】
2014146532.tif 000005
【図４】
2014146532.tif 000006